(57)【要約】【課題】  賞球箱の移動や入替えを行うときに下皿が邪魔にならないパチンコ機を実現する。【解決手段】  下皿１０は、パチンコ機本体１ａの前方へ突出した第１の姿勢と、パチンコ機本体１ａの内部へ待避した第２の姿勢とに変化可能になっている。下皿１０の下方に置かれた賞球箱を持ち上げるときに下皿１０を第２の姿勢に変化させれば下皿１０が邪魔にならない。また、下皿１０が第２の姿勢に変化しているときに払出された賞球は下皿１０に流入し、下皿球抜きレバー１６を操作すると下皿１０の賞球を排出口５１ａから賞球箱へ排出することもできる。【選択図】  図６
2006000177.tif 000002
【特許請求の範囲】
【請求項１】
遊技球を発射する遊技球発射装置と、この遊技球発射装置により発射された遊技球が流下する遊技領域と、この遊技領域に設けられた入賞口と、この入賞口に遊技球が入賞した場合に賞球を払出す賞球払出装置と、この賞球払出装置により払出された前記賞球を貯留する上皿と、この上皿の下方に設けられており、前記上皿に貯留されている遊技球の数が貯留可能な数を超えている場合に前記賞球払出装置により排出された賞球を貯留する下皿とを備えたパチンコ機において、
前記下皿が、パチンコ機本体の前面から突出した第１の姿勢と、前記前面から前記パチンコ機本体の内部に待避した第２の姿勢とに変化可能に備えられていることを特徴とするパチンコ機。
【請求項２】
前記パチンコ機本体の内部に設けられており、前記賞球払出装置により払出された前記賞球を前記下皿へ流下させる流下樋と、
前記下皿が前記第１の姿勢になっている場合は、前記流下樋内部の流下路を前記第１の姿勢になっている前記下皿に連通する流下路に変換するとともに、前記下皿が前記第２の姿勢になっている場合は、前記流下路の流下路を前記第２の姿勢になっている前記下皿に連通する流下路に変換する流下路変換手段と、
を備えたことを特徴とする請求項１に記載のパチンコ機。
【請求項３】
前記パチンコ機本体の前記前面に開口形成されており、前後方向へ進退する前記下皿が通過可能な開口部と、
この開口部の前面上端に形成された切欠部とを備えており、
前記下皿が前記第２の姿勢になっている場合に、前記切欠部と前記下皿の前部上端との間に隙間が形成されることを特徴とする請求項１または請求項２に記載のパチンコ機。
【請求項４】
前記開口部の後方であって、進退する前記下皿の移動経路の両側に設けられており、前記下皿を前後へ案内するとともに、下皿の案内位置を規制する案内手段を備えたことを特徴とする請求項１ないし請求項３のいずれか１つに記載のパチンコ機。
【請求項５】
前記パチンコ機本体の前面に開口形成された排出口と、
前記下皿の底部に設けられており、前記下皿に貯留されている賞球を前記下皿の外部へ流出させるための流出口と、
この流出口を開閉するための開閉部材と、
前記下皿が前記第１の姿勢または前記第２の姿勢になっている場合に、前記開閉部材を開閉操作するための開閉操作部材と、
前記下皿が前記第２の姿勢になっている状態で前記開閉操作部材が操作されたときに前記流出口から流出した賞球を前記排出口へ流下させるための球抜き流下樋と、
を備えたことを特徴とする請求項１ないし請求項４のいずれか１つに記載のパチンコ機。
【発明の詳細な説明】
【技術分野】
【０００１】
この発明は、上皿の貯留可能な数を超えて払出された賞球を貯留する下皿を備えたパチンコ機に関する。
【背景技術】
【０００２】
図８は従来のパチンコ機の正面説明図である。
パチンコ機５００に備えられた発射レバー５０１を右回転させると、遊技球発射装置（図示省略）が作動し、上皿５０７に貯留されている遊技球が遊技領域５０２へ発射され、その発射された遊技球は遊技領域５０２を流下する。その遊技球が遊技領域５０２に設けられた第１種始動口５０３または普通入賞口５０４，５０５に入賞すると、賞球払出装置（図示省略）が作動し、所定個数の遊技球が賞球として上皿５０７に払出される。また、遊技球が第１種始動口５０３に入賞すると、特別図柄表示装置５０９が複数の特別図柄（例えば０〜９の数字を表現した特別図柄）を配列した図柄列を横方向３つの表示領域にて上下方向に変動表示する。そして、変動開始から所定時間経過すると、３つの表示領域にて計３つの停止図柄を表示する。その停止図柄が大当り図柄（例えば図示するような７７７など）であった場合は大当りが発生し、開閉扉５０８が開放され、大入賞口５０６が開口する。大入賞口５０６の開閉は所定回数実行され、短時間で多くの入賞が発生し、大量の賞球が払出される。上皿５０７が賞球で満杯になると、賞球は、下皿５１０に払出される。また、上皿５０７に設けられている球抜きレバー５１１を操作すると、上皿５０７に貯留されている賞球を下皿５１０へ抜くことができる。
【０００３】
【特許文献１】特開２００１−１４９６０５号公報
【発明の開示】
【発明が解決しようとする課題】
【０００４】
図９は、図８に示したパチンコ機に備えられた下皿を右側面から見た部分説明図である。遊技者は、下皿５１０の下方に賞球箱６００を配置して遊技を行う。下皿５１０に設けられた球抜きレバー５１２を操作すると、下皿５１０の底面に球抜き孔が開口され、その球抜き孔から賞球を賞球箱６００へ抜くことができるようになっている。そして、遊技者は、賞球箱６００が賞球で満杯になると、賞球箱６００を床に置き、新たな賞球箱と入れ替えて遊技を継続する。
しかし、図９に示すように、下皿５１０の直下に賞球箱６００が置かれているため、賞球箱６００を持ち上げるときに下皿５１０が邪魔になるため、賞球箱の移動や入替作業を滑らかに行うことができないという問題がある。
特に、大当りが発生すると、短時間に大量の賞球が払出され、賞球箱の入替えを何回も行う状況になるため、上記の問題が顕著となって現れる。
【０００５】
そこでこの発明は、上述の問題を解決するためになされたものであり、賞球箱の移動や入替えを行うときに下皿が邪魔にならないパチンコ機を実現することを目的とする。
【課題を解決するための手段】
【０００６】
この発明は、上記目的を達成するため、請求項１に記載の発明では、遊技球を発射する遊技球発射装置と、この遊技球発射装置により発射された遊技球が流下する遊技領域と、この遊技領域に設けられた入賞口と、この入賞口に遊技球が入賞した場合に賞球を払出す賞球払出装置（７０）と、この賞球払出装置（７０）により払出された前記賞球を貯留する上皿（６）と、この上皿（６）の下方に設けられており、前記上皿（６）に貯留されている遊技球の数が貯留可能な数を超えている場合に前記賞球払出装置（７０）により排出された賞球を貯留する下皿（１０）とを備えたパチンコ機において、前記下皿（１０）が、パチンコ機本体（１ａ）の前面（５１）から突出した第１の姿勢と、前記前面から前記パチンコ機本体（１ａ）の内部に待避した第２の姿勢とに変化可能に備えられているという技術的手段を用いる。
なお、第２の姿勢とは、下皿の下方に置かれた賞球箱を移動させたり入れ替えたりするときに邪魔にならなければ、必ずしも下皿の前面が、パチンコ機本体の前面と一致する位置、または、パチンコ機本体の前面よりも奥まった位置になる必要はなく、下皿の前面がパチンコ機本体の前面から前方へ突出した姿勢を含む意味である。
【０００７】
請求項２に記載の発明では、請求項１に記載のパチンコ機において、前記パチンコ機本体（１ａ）の内部に設けられており、前記賞球払出装置（７０）により払出された前記賞球を前記下皿（１０）へ流下させる流下樋（６０）と、前記下皿（１０）が前記第１の姿勢になっている場合は、前記流下樋（６０）内部の流下路（６２ａ）を前記第１の姿勢になっている前記下皿（１０）に連通する流下路に変換するとともに、前記下皿（１０）が前記第２の姿勢になっている場合は、前記流下樋（６０）内部の流下路（６２ａ）を前記第２の姿勢になっている前記下皿（１０）に連通する流下路に変換する流下路変換手段（２０、６２、６４）とを備えたという技術的手段を用いる。
【０００８】
請求項３に記載の発明では、請求項１または請求項２に記載のパチンコ機において、前記パチンコ機本体（１ａ）の前記前面（５１）に開口形成されており、前後方向へ進退する前記下皿（１０）が通過可能な開口部（５１ｂ）と、この開口部（５１ｂ）の前面上端に形成された切欠部（５１ｄ）とを備えており、前記下皿（１０）が前記第２の姿勢になっている場合に、前記切欠部（５１ｄ）と前記下皿（１０）の前部上端（１１ａ）との間に隙間（ｓ１）が形成されるという技術的手段を用いる。
【０００９】
請求項４に記載の発明では、請求項１ないし請求項３のいずれか１つに記載のパチンコ機において、前記開口部（５１ｂ）の後方であって、進退する前記下皿（１０）の移動経路の両側に設けられており、前記下皿（１０）を前後へ案内するとともに、下皿（１０）の案内位置を規制する案内手段（１４、４０）を備えたという技術的手段を用いる。
【００１０】
請求項５に記載の発明では、請求項１ないし請求項４のいずれか１つに記載のパチンコ機において、前記パチンコ機本体（１ａ）の前面（５１）に開口形成された排出口（５１ａ）と、前記下皿（１０）の底部に設けられており、前記下皿（１０）に貯留されている賞球を前記下皿（１０）の外部へ流出させるための流出口（１５ａ）と、この流出口（１５ａ）を開閉するための開閉部材（１６ａ）と、前記下皿（１０）が前記第１の姿勢または前記第２の姿勢になっている場合に、前記開閉部材（１６ａ）を開閉操作するための開閉操作部材（１６）と、前記下皿（１０）が前記第２の姿勢になっている状態で前記開閉操作部材（１６）が操作されたときに前記流出口（１５ａ）から流出した賞球を前記排出口（５１ａ）へ流下させるための球抜き流下樋（３０）とを備えたという技術的手段を用いる。
なお、上記各段落における括弧内の符号は、後述する実施形態において用いられている符号と対応するものである。
【発明の効果】
【００１１】
（請求項１に記載の発明の効果）
下皿をパチンコ機本体の前面から突出した第１の姿勢から、パチンコ機本体の内部に待避した第２の姿勢に変化させることができるため、下皿の下方に置かれた賞球箱を移動したり入れ替えたりするときに下皿が邪魔にならない。
また、下皿を第２の姿勢から第１の姿勢に戻せば、再び下皿を使用することができる。
【００１２】
（請求項２に記載の発明の効果）
第２の姿勢、つまりパチンコ機本体の内部に待避した状態になっている下皿へ賞球を流下させることができるため、下皿がパチンコ機本体の内部に待避した状態になっている場合に賞球が払出された場合であっても、その賞球を下皿に貯留させることができる。
【００１３】
（請求項３に記載の発明の効果）
下皿が第２の姿勢、つまりパチンコ機本体の内部に待避した状態になっている場合に、下皿が待避するときに通過する開口部の前面上端に形成された切欠部と、下皿の前部上端との間に隙間が形成されるため、その隙間に指を入れて下皿の前部上端に引っ掛け、下皿を前方へ引き出し、第１の姿勢に戻すことができる。
【００１４】
（請求項４に記載の発明の効果）
下皿を前後へ案内する案内手段を備えるため、遊技者は、その案内手段に沿って下皿を進退させれば良いので、下皿の進退を容易に行うことができる。また、案内手段により下皿の案内位置を規制することができるため、下皿がパチンコ機本体の前方へ突出し過ぎたり、内部に入り込み過ぎたりするおそれがない。
【００１５】
（請求項５に記載の発明の効果）
下皿がパチンコ機本体の内部に待避した状態であっても、開閉操作部材を操作することにより、下皿に貯留されている賞球をパチンコ機本体の前面の排出口から排出させ、それを賞球箱に貯留させることができる。
従って、下皿をパチンコ機本体の内部に待避させた状態でも遊技を行うことができる。
【発明を実施するための最良の形態】
【００１６】
［全体の主要構成］
まず、この実施形態のパチンコ機の主要構成について、パチンコ機の正面説明図である図１を参照して説明する。
パチンコ機１には、外殻を構成する外枠２が設けられており、その外枠２にはガラス枠３が開閉可能に取付けられている。ガラス枠３の内側には遊技盤４が設けられており、外枠２の前面右下方には、遊技盤４の遊技領域へ遊技球を発射する発射装置（図示省略）を操作する発射レバー５ａが、発射ハンドル５に回動可能に取付けられている。遊技盤４の下方には上皿６が設けられており、上皿６の下方には、スライド下皿装置８がパネル板５０に設けられている。また、上皿６の上端右側には、上皿６に貯留されている遊技球をスライド下皿装置８の下皿１０へ抜くための上皿球抜き操作部材６ａが設けられている。スライド下皿装置８の左方には灰皿７が設けられている。
なお、図示しないが、遊技盤４には、図８に示した従来のパチンコ機５００に備えられているような第１種始動口、普通入賞口、特別図柄表示装置、開閉扉および大入賞口などが備えられており、特別図柄表示装置により大当り図柄が表示されると、大当りが発生するようになっている。
【００１７】
［スライド下皿装置８の構造］
次に、この発明の特徴であるスライド下皿装置８の構造について図２ないし図７を参照して説明する。
図２は、スライド下皿装置８の取付状態を示す斜視説明図であり、図３は、スライド下皿装置８の構成部材を分解して示す斜視説明図である。図４は、パチンコ機１の裏面を示す説明図であり、図５は、流下樋および下皿１０の接続構成を示す斜視説明図である。図６（Ａ）は下皿１０がパチンコ機本体の前面から突出した状態を示す斜視説明図であり、図６（Ｂ）は下皿１０がパチンコ機本体の内部に待避した状態を示す斜視説明図である。図７（Ａ）は図６（Ａ）の状態を右側面から見た縦断面図であり、図７（Ｂ）は図６（Ｂ）の状態を右側面から見た縦断面図である。
なお、以下の説明では、パチンコ機１の中央から右方または左方を外方とし、右方または左方から中央を向く方を内方という。
【００１８】
図３に示すように、スライド下皿装置８は、下皿１０と、１対の支持部材４０，４０と、球抜き流下樋３０と、補助流下樋２０とを備える。下皿１０は、前方へ円弧状に膨らんだ下皿前部１１と、この下皿前部１１と対向して後方に配置された下皿後部１２と、下皿前部１１および下皿後部１２の各両端部間に形成された下皿側部１３，１３と、下皿前部１１、下皿後部１２および下皿側部１３，１３の各下端で囲まれて底部に形成された下皿底部１５とを備える。下皿底部１５には、下皿１０に貯留されている賞球を賞球箱へ抜くための球抜き孔１５ａが開閉可能に貫通形成されている。
下皿前部１１の前部上端１１ｃの後端中央部には、薄肉に形成された薄肉部１１ａが形成されており、下皿前部１１の中央部下端には、横長の切欠部１１ｂが切欠き形成されている。その切欠部１１ｂには、下皿球抜きレバー１６が左右方向へ移動可能に配置されている。また、図６（Ｂ）に示すように、下皿球抜きレバー１６は、下皿１０がパチンコ機本体１ａの内部に収納された状態でも操作できる位置に配置されている。その下皿球抜きレバー１６を指で左方へ移動させると、下皿球抜きレバー１６と一体形成された開閉板１６ａが左方へ移動し、その開閉板１６ａにより閉口されていた球抜き孔１５ａが開口する。また、下皿球抜きレバー１６から指を離すと、バネなどの復元機構（図示省略）により、下皿球抜きレバー１６が操作前の位置へ戻り、開閉板１６ａにより球抜き孔１５ａが閉口される。
【００１９】
下皿１０の各下皿側部１３には、案内部材１４がそれぞれ備えられている。この実施形態では、各案内部材１４は、それぞれ板状に形成されている。また、この実施形態では、右側の案内部材１４は右側の下皿側部１３から右方へ突出しており、左側の案内部材１４は左側の下皿側部１３から左方へ突出している。
下皿後部１２には、払出された賞球を下皿１０に流入させるための流入口１２ａが開口形成されている。
各支持部材４０は、支持部材４０をパネル板５０の背面に取り付けるための取付部４１と、下皿１０の案内部材１４を前後方向へ案内するための案内溝４５ａとを備える。この実施形態では、各支持部材４０は、側面から見て横長の支持部材本体４４をそれぞれ備える。両支持部材４０は、右側の支持部材本体４４の左の側面（４５）と、左側の支持部材本体４４の右の側面４５とを対向させた形態で配置される。各側面４５には、案内溝４５ａが前後方向に形成されており、各案内溝４５ａは、平行に相対向している。下皿１０を目一杯前方へ引き出すと、図６（Ａ）に示すように、パチンコ機本体１ａの前方へ突出した第１の姿勢となり、目一杯後方へ押し込むと、図６（Ｂ）に示すように、下皿１０は、パチンコ機本体１ａの内部に収納された第２の姿勢になる。各案内溝４５ａの前後方向の長さは、下皿１０が第１の姿勢および第２の姿勢に変化できるように決定される。
【００２０】
下皿１０の各案内部材１４は、それぞれ対応する案内溝４５ａに挿入され、下皿１０は案内溝４５ａに沿って前後に移動可能となる（図６）。各案内溝４５ａの溝幅（図面上では上下方向の幅）は、案内部材１４の肉厚よりも大きく形成されており、下皿１０の移動を滑らかなものにしている。また、下皿１０の各下皿側部１３は、対応する支持部材４０の側面４５と僅かな隙間を隔てて平行になっており、下皿１０の移動の際に下皿側部１３と側面４５とが強く擦れ合わずに、下皿１０が滑らかに移動できるようになっている。さらに、各案内溝４５ａは、側面４５を前後方向に貫通しておらず、各案内溝４５ａの内部の前端および後端は、それぞれ閉塞されている。このため、各案内溝４５ａに沿って移動する各案内部材１４は、案内溝４５ａの前端よりも前方への移動が阻止され、案内溝４５ａの後端よりも後方への移動が阻止されるため、下皿１０がパチンコ機本体１ａよりも前方に突出し過ぎたり、パチンコ機本体１ａの内部に入り込み過ぎたりすることがない。
【００２１】
各取付部４１から前方には、前部４２が突出形成されており、取付部４１から後方には後部４３が形成されている。各取付部４１は、外方へ張り出した鍔状に形成されており、取付ボルトやビスなどを挿通するための取付孔４１ａが前後方向に貫通形成されている。
補助流下樋２０は、上方から流下してきた賞球が流入する流入口２４ａと、この流入口２４ａから流入した賞球を補助流下樋２０から流出させるための流出口２１ａとを備える。補助流下樋２０は、流出口２１ａと、下皿後部１２の流入口１２ａとが連通するように配置される。この実施形態では、補助流下樋２０は、下皿後部１２の背面に取り付けられており、流出口２１ａと流入口１２ａとが連通している（図７）。補助流下樋２０は、下皿後部１２の背面に取り付けるための取付部２１を前面に備えており、その取付部２１に流出口２１ａが開口形成されている。取付部２１の背面には、箱状の箱状部２２が形成されており、その箱状部２２の上面２４に流入口２４ａが開口形成されている。箱状部２２の内部には、流入口２４ａおよび流出口２１ａの両方に連通する空間２５が形成されており、その空間２５の底部には、流出口２１ａの下端に向けて下り勾配となった下り傾斜面２５ａが形成されている。つまり、流入口２４ａから流入した賞球は、下り傾斜面２５ａを転動して流出口２１ａから流出し、下皿後部１２の流入口１２ａから下皿１０の内部に流入する。
また、この実施形態では、取付部２１の両端は、鍔状に外方へ張り出しており、その張り出した部分には、補助流下樋２０を下皿後部１２の背面に取り付けるためのボルトやビスを挿通する挿通孔２１ｂが前後方向に貫通形成されている。
【００２２】
球抜き流下樋３０は、賞球を前方斜め下方へ流下させるための流下路３３ａを備える。流下路３３ａは、図７（Ｂ）に示すように、下皿１０がパチンコ機本体１ａの内部に待避した第２の姿勢のときに下皿球抜きレバー１６が操作された場合に、下皿１０の球抜き孔１５ａから抜かれた賞球をパネル板５０に開口形成された排出口５１ａに向けて流下させるためのものである。
球抜き流下樋３０は、パネル板５０の背面に、流下路３３ａの流出口３３ｃが排出口５１ａと連通するように取付けられる。この実施形態では、球抜き流下樋３０は、横長の板状に形成されており、その上面３２の中央部には凹部３３が形成されており、その凹部３３の底部に流下路３３ａが形成されている。流下路３３ａは、凹部３３の後面３３ｂの下端から前方に向けて下り勾配に形成されている。
球抜き流下樋３０の前面３１には、球抜き流下樋３０をパネル板５０の背面に取り付けるためのボルトやビスを挿通する挿通孔３１ａが前後方向に貫通形成されている。
【００２３】
パネル板５０には、各支持部材４０により両側から支持された下皿１０の前部を挿通するための窓５１ｂが開口形成されている。窓５１ｂの上端中央部には、横長の切欠部５１ｄが切欠き形成されている。切欠部５１ｄは、図６（Ｂ）に示すように、下皿１０がパチンコ機本体１ａの内部に待避した第２の姿勢になったときに、下皿１０の薄肉部１１ａとの間で隙間ｓ１を形成する。
パネル板５０の前面５１であって窓５１ｂの両端上部には、突出部５５がそれぞれ前方に突出形成されている。各突出部５５の形状は、支持部材４０の前部４２と相似形になっており、下皿１０の前部が窓５１ｂから前方へ突出したときに、図２に示すように、各突出部５５および各支持部材４０が一体化された感じになる。また、パネル板５０には、発射ハンドル５を取付けるための取付部５２と、灰皿７を取付けるための取付穴５３とが設けられている。
【００２４】
［パチンコ機１の裏側の機構］
図４に示すように、パチンコ機１の裏側上部には、島（島とは、店内の通路や壁で区画された複数のパチンコ機のグループである）の上方を流れる遊技球を取り入れて貯留するための球タンク８０が備えられている。球タンク８０の下部には、球タンク８０に貯留されている遊技球を流下させるためのタンクレール８１が接続されており、タンクレール８１の流下方向端部には、タンクレール８１を流下した遊技球を取り込んで賞球として払出すための賞球払出装置７０が取付けられている。賞球払出装置７０の払出側には、流下樋６０が接続されている。流下樋６０は、賞球払出装置７０により払出された賞球を上皿６へ流下させるための払出流下樋６１と、上皿６が貯留超過となったときに賞球払出装置７０から払出された賞球を下皿１０へ流下させるための余剰流下樋６２とを備える。
図５に示すように、払出流下樋６１の下部には、流下案内部材６３が取付けられており、上皿６が貯留超過になるまでは、払出流下樋６１を流下した賞球は、流下案内部材６３によって案内され、流下案内部材６３に開口形成された流出口６３ａから上皿６へ流入する。
【００２５】
また、余剰流下樋６２の流下方向先端部には、流下路変換部材６４が取付けられている。図７（Ａ）に示すように、下皿１０がパチンコ機本体１ａの前面から突出した第１の姿勢になっている状態では、流下路変換部材６４の底部に開口形成された流出口６４ａは、下皿１０の背面に取付けられた補助流下樋２０の流入口２４ａと連通した状態になるため、余剰流下樋６２を流下した賞球は、流下路変換部材６４および補助流下樋２０を通って下皿１０の流入口１２ａから下皿１０の内部に流入する。
また、図７（Ｂ）に示すように、下皿１０がパチンコ機本体１ａの内部に待避した第２の姿勢になっている状態では、流下路変換部材６４の流出口６４ａは、下皿１０の上部開口面と直接連通した状態になるため、余剰流下樋６２を流下した賞球は、流下路変換部材６４から直接下皿１０の内部に流入する。
つまり、下皿１０が、パチンコ機本体１ａの前面から突出した第１の姿勢およびパチンコ機本体１ａの内部に待避した第２の姿勢のいずれの姿勢にあっても、上皿６の貯留超過となった賞球を下皿１０へ流下させることができる。
【００２６】
また、図７（Ｂ）に示すように、下皿１０がパチンコ機本体１ａの内部に待避した第２の姿勢になると、下皿１０の球抜き孔１５ａは、球抜き流下樋３０の上部開口面と連通可能な位置になる。このため、下皿球抜きレバー１６を操作すると、下皿１０に貯留されている賞球は、球抜き孔１５ａから球抜き流下樋３０へ落下し、球抜き流下樋３０の流下路３３ａを転動して球抜き流下樋３０の流出口３３ｃからパネル板５０の排出口５１ａを通って賞球箱９０の内部に排出される。
つまり、下皿１０がパチンコ機本体１ａの内部に待避した第２の姿勢になっている状態であっても、下皿１０に貯留されている賞球を賞球箱９０に排出することができるため、下皿１０を手前に引き出す手間が不要となる。
【００２７】
［スライド下皿装置８の作用］
例えば、今、大当りが発生し、賞球払出装置７０により払出された賞球で上皿６が満杯になっている状態であるとする。そして、さらに賞球が払出されると、その賞球は、払出流下樋６１の流下路６１ａから余剰流下樋６２の流下路６２ａを流下し、流下路変換部材６４から補助流下樋２０に流入し、下皿１０に流入する。下皿１０に賞球が貯留されているときに下皿球抜きレバー１６を操作すると、球抜き孔１５ａが開口し、下皿１０に貯留されている賞球が賞球箱９０へ排出される。
そして、賞球箱９０が賞球で満杯になると、下皿１０の下皿前部１１を後方へ押して、下皿１０をパチンコ機本体１ａの内部へ収納する（待避させる）（図６（Ｂ）、図７（Ｂ））。これにより、賞球箱９０を上方へ持ち上げるときに下皿１０が邪魔にならないため、賞球箱の入れ替えを容易に行うことができる。
【００２８】
また、上皿６の貯留超過となった賞球は、余剰流下樋６２から流下路変換部材６４を流下し、パチンコ機本体１ａの内部に収納（待避）されている下皿１０に直接流入するため、賞球が下皿１０に流入しないでパチンコ機本体１ａの内部にこぼれてしまうことがない。
さらに、下皿１０がパチンコ機本体１ａの内部に収納（待避）されている状態で、下皿球抜きレバー１６を操作すると、下皿１０に貯留されている賞球は、球抜き孔１５ａから排出され、球抜き流下樋３０からパネル板５０の排出口５１ａから賞球箱９０へ排出される。このため、下皿１０をパチンコ機本体１ａの内部に待避（収納）した状態で遊技を行うことができる。
また、パネル板５０の窓５１ｂの上端中央部に切欠き形成された切欠部５１ｄと、下皿１０の薄肉部１１ａとの間に形成された隙間ｓ１に指を入れ、その指を薄肉部１１ａの後端に引っ掛け、下皿１０を手前に引き出せば、下皿１０を収納前の位置に戻すことができる。
【００２９】
［最良の形態の効果］
（１）以上のように上記最良の形態のパチンコ機１を使用すれば、下皿１０をパチンコ機本体１ａの前面から突出した第１の姿勢から、パチンコ機本体１ａの内部に待避した第２の姿勢に変化させることができるため、下皿１０の下方に置かれた賞球箱９０を移動したり入れ替えたりするときに下皿１０が邪魔にならない。また、下皿１０を第２の姿勢から第１の姿勢に戻せば、再び下皿１０を使用することができる。
（２）しかも、第２の姿勢、つまりパチンコ機本体１ａの内部に待避した状態になっている下皿１０へ賞球を流下させることができるため、下皿１０がパチンコ機本体１ａの内部に待避した状態になっている場合に賞球が払出された場合であっても、その賞球を下皿１０に貯留させることができる。
【００３０】
（３）また、下皿１０が第２の姿勢、つまりパチンコ機本体１ａの内部に待避した状態になっている場合に、パネル板５０の窓５１ｂの前面上端に形成された切欠部５１ｄと、下皿１０の薄肉部１１ａとの間に形成される隙間ｓ１に指を入れ、その指を薄肉部１１ａの後端に引っ掛け、下皿１０を前方へ引き出し、第１の姿勢に戻すことができる。
（４）さらに、下皿１０を前後へ案内する支持部材４０，４０を備えるため、遊技者は、その支持部材４０，４０に沿って下皿１０を進退させれば良いので、下皿１０の進退を容易に行うことができる。また、各案内溝４５ａの前端および後端が閉塞されており、下皿１０の案内位置を規制することができるため、下皿１０がパチンコ機本体１ａの内部に入り込み過ぎたり、前方へ突出し過ぎたりするおそれがない。
（５）さらに、下皿１０がパチンコ機本体１ａの内部に待避した状態であっても、下皿球抜きレバー１６を操作することにより、下皿１０に貯留されている賞球をパチンコ機本体１ａの前面５１の排出口５１ａから排出させ、それを賞球箱９０に貯留させることができる。
従って、下皿１０をパチンコ機本体１ａの内部に待避させた状態でも遊技を行うことができる。
【００３１】
［他の実施形態］
（１）下皿前部１１の一部または全部を透光性材料（例えば、透明または半透明の合成樹脂）により形成することもできる。この構成を用いれば、下皿１０がパチンコ機本体１ａの内部に待避した状態でも、下皿前部１１を透かして下皿１０の内部を見ることができるため、賞球の貯留状態を容易に知ることができる。
（２）下皿１０を前方へ引き出して取り外すことができる構造にしても良い。例えば、各支持部材４０の各案内溝４５ａの前端が側面４５から前方へ貫通した構造にすれば、下皿１０をパネル板５０の窓５１ｂを通って前方へ引き抜くことが可能になる。この構成を用いれば、前記実施形態の効果に加えて、下皿を取り外すことができるという効果を奏することができる。また、これにより、下皿の清掃や下皿球抜きレバー１６の修理を容易に行うことができる。
（３）前記各実施形態において記載した各部材および機構は一例であり、設計変更できることは勿論である。
【００３２】
［各請求項と実施形態との対応関係］
余剰流下樋６２、流下路変換部材６４および補助流下樋２０が、請求項２に記載の流下路変換手段に対応する。窓５１ｂが請求項３に記載の開口部に対応する。支持部材４０，４０が請求項４に記載の案内手段に対応する。球抜き孔１５ａが請求項５に記載の流出口に、開閉板１６ａが開閉部材に、下皿球抜きレバー１６が開閉操作部材にそれぞれ対応する。
【図面の簡単な説明】
【００３３】
【図１】パチンコ機の外観を正面から見た説明図である。
【図２】スライド下皿装置８の取付状態を示す斜視説明図である。
【図３】スライド下皿装置８の構成部材を分解して示す斜視説明図である。
【図４】パチンコ機１の裏面を示す説明図である。
【図５】流下樋および下皿１０の接続構成を示す斜視説明図である。
【図６】図６（Ａ）は下皿１０がパチンコ機本体の前面から突出した状態を示す斜視説明図であり、図６（Ｂ）は下皿１０がパチンコ機本体の内部に待避した状態を示す斜視説明図である。
【図７】図７（Ａ）は図６（Ａ）の状態を右側面から見た縦断面図であり、図７（Ｂ）は図６（Ｂ）の状態を右側面から見た縦断面図である。
【図８】従来のパチンコ機の正面説明図である。
【図９】図８に示したパチンコ機に備えられた下皿を右側面から見た部分説明図である。
【符号の説明】
【００３４】
１    パチンコ機
６    上皿
８    スライド下皿装置
１０    下皿
１６    下皿球抜きレバー
２０    補助流下樋（流下路変換手段）
４０    支持部材（案内手段）
５１ａ  排出口
５１ｂ  窓（開口部）
５１ｄ  切欠部
６０    流下樋
６２    余剰流下樋（流下路変換手段）
６４    流下路変換部材（流下路変換手段）
ｓ１    隙間
【図１】
2006000177.tif 000003
【図２】
2006000177.tif 000004
【図３】
2006000177.tif 000005
【図４】
2006000177.tif 000006
【図５】
2006000177.tif 000007
【図６】
2006000177.tif 000008
【図７】
2006000177.tif 000009
【図８】
2006000177.tif 000010
【図９】
2006000177.tif 000011